(57)【要約】【課題】ＲＮＣにてＵＥが使用するセルが選択される際の選択肢の幅を増やす。【解決手段】ＵＥ１０３とＲＮＣ１０１との接続を要求する接続要求メッセージに含まれたＵＥ１０３がサポート可能な周波数帯を示す能力情報がＵＥ１０３から送信され、ＲＮＣ１０１にてＵＥ１０３から送信された能力情報に基づいてＵＥ１０３の候補セルが選定される。【選択図】図１
2008092332.tif 000002
【特許請求の範囲】
【請求項１】
移動端末と、無線基地局を介して前記移動端末と接続された無線基地局制御装置とを有してなる移動通信システムにおいて、
前記移動端末は、該移動端末がサポート可能な周波数帯を示す能力情報を、前記無線基地局制御装置との接続を要求する接続要求メッセージに含んで該無線基地局制御装置へ送信し、
前記無線基地局制御装置は、前記移動端末から送信されてきた前記接続要求メッセージから前記能力情報をデコードし、前記デコードされた能力情報に基づいて前記移動端末の候補セルを選定することを特徴とする移動通信システム。
【請求項２】
請求項１に記載の移動通信システムにおいて、
前記接続要求メッセージは、RRC Connection Requestメッセージであることを特徴とする移動通信システム。
【請求項３】
サポート可能な周波数帯を示す能力情報を、接続を要求する接続要求メッセージに含んで送信する移動端末に、無線基地局を介して接続された無線基地局制御装置であって、
前記移動端末から送信されてきた前記接続要求メッセージから前記能力情報をデコードし、前記デコードされた能力情報に基づいて前記移動端末の候補セルを選定することを特徴とする無線基地局制御装置。
【請求項４】
請求項３に記載の無線基地局制御装置において、
前記接続要求メッセージは、RRC Connection Requestメッセージであることを特徴とする無線基地局制御装置。
【請求項５】
移動端末と、無線基地局を介して前記移動端末と接続された無線基地局制御装置とを有してなる移動通信システムにおける候補セル選定方法であって、
前記移動端末が、該移動端末がサポート可能な周波数帯を示す能力情報を、前記無線基地局制御装置との接続を要求する接続要求メッセージに含む処理と、
前記移動端末が、前記能力情報が含まれた前記接続要求メッセージを前記無線基地局制御装置へ送信する処理と、
前記無線基地局制御装置が、前記移動端末から送信されてきた前記接続要求メッセージから前記能力情報をデコードする処理と、
前記無線基地局制御装置が、前記デコードされた能力情報に基づいて前記移動端末の候補セルを選定する処理とを有する候補セル選定方法。
【請求項６】
請求項５に記載の候補セル選定方法において、
前記接続要求メッセージは、RRC Connection Requestメッセージであることを特徴とする候補セル選定方法。
【発明の詳細な説明】
【技術分野】
【０００１】
本発明は、無線において移動端末と通信を行うための移動通信システム、無線基地局制御装置及び候補セル選定方法に関する。
【背景技術】
【０００２】
移動通信システムにおいては、移動端末（以下、ＵＥと称する）と無線基地局制御装置（以下、ＲＮＣと称する）とが無線基地局を介して接続されるが、その際にＵＥからＲＮＣに対して接続要求（RRC Connection Request）メッセージが送信される。そして、ＵＥからのメッセージ送付に使用されたセルをＲＮＣにおける選択可能な候補セルとしてＲＮＣとＵＥとの間にて通信が開始される。
【０００３】
また、ＵＥがサポート可能な周波数帯を示すＵＥ能力情報をＵＥからＲＮＣへ予め送信する技術が考えられている（例えば、特許文献１参照。）。
【特許文献１】特表２００２−５３９６９４号公報
【発明の開示】
【発明が解決しようとする課題】
【０００４】
しかしながら、このRRC Connection Requestメッセージには、接続を要求するＵＥがサポートできる周波数帯の能力の全てが含まれているわけではないため、ＵＥから送信されたRRC Connection RequestメッセージがＲＮＣにて受信される受信時において、ＵＥが現存するセルと同じ周波数帯の及び隣接するセルのみがＲＮＣにおける当該ＵＥについての選択可能な候補セルに限られてしまうという問題点がある。
【０００５】
また、特許文献１には、ＲＮＣがＵＥに対して個別チャネルのRRC Connectionを確立する際の候補セルの特定方法については記載されていない。
【０００６】
本発明は、上述したような従来の技術が有する問題点に鑑みてなされたものであって、ＲＮＣにてＵＥが使用するセルが選択される際の選択肢の幅を増やすことができる移動通信システム、無線基地局制御装置及び候補セル選定方法を提供することを目的とする。
【課題を解決するための手段】
【０００７】
上記目的を達成するために本発明は、
移動端末と、無線基地局を介して前記移動端末と接続された無線基地局制御装置とを有してなる移動通信システムにおいて、
前記移動端末は、該移動端末がサポート可能な周波数帯を示す能力情報を、前記無線基地局制御装置との接続を要求する接続要求メッセージに含んで該無線基地局制御装置へ送信し、
前記無線基地局制御装置は、前記移動端末から送信されてきた前記接続要求メッセージから前記能力情報をデコードし、前記デコードされた能力情報に基づいて前記移動端末の候補セルを選定することを特徴とする。
【０００８】
また、前記接続要求メッセージは、RRC Connection Requestメッセージであることを特徴とする。
【０００９】
また、サポート可能な周波数帯を示す能力情報を、接続を要求する接続要求メッセージに含んで送信する移動端末に、無線基地局を介して接続された無線基地局制御装置であって、
前記移動端末から送信されてきた前記接続要求メッセージから前記能力情報をデコードし、前記デコードされた能力情報に基づいて前記移動端末の候補セルを選定することを特徴とする。
【００１０】
また、前記接続要求メッセージは、RRC Connection Requestメッセージであることを特徴とする。
【００１１】
また、移動端末と、無線基地局を介して前記移動端末と接続された無線基地局制御装置とを有してなる移動通信システムにおける候補セル選定方法であって、
前記移動端末が、該移動端末がサポート可能な周波数帯を示す能力情報を、前記無線基地局制御装置との接続を要求する接続要求メッセージに含む処理と、
前記移動端末が、前記能力情報が含まれた前記接続要求メッセージを前記無線基地局制御装置へ送信する処理と、
前記無線基地局制御装置が、前記移動端末から送信されてきた前記接続要求メッセージから前記能力情報をデコードする処理と、
前記無線基地局制御装置が、前記デコードされた能力情報に基づいて前記移動端末の候補セルを選定する処理とを有する。
【００１２】
また、前記接続要求メッセージは、RRC Connection Requestメッセージであることを特徴とする。
【００１３】
上記のように構成された本発明のおいては、移動端末と無線基地局制御装置との接続を要求する接続要求メッセージに含まれた移動端末がサポート可能な周波数帯を示す能力情報が当該移動端末から送信され、無線基地局制御装置にて移動端末から送信された能力情報に基づいて当該移動端末の候補セルが選定される。
【００１４】
これにより、ＲＮＣにてＵＥがサポート可能な全ての周波数帯を候補セルとすることができる。
【発明の効果】
【００１５】
以上説明したように本発明のおいては、移動端末と無線基地局制御装置との接続を要求する接続要求メッセージに含まれた移動端末がサポート可能な周波数帯を示す能力情報を当該移動端末から送信し、無線基地局制御装置にて移動端末から送信された能力情報に基づいて当該移動端末の候補セルを選定する構成としたため、ＲＮＣにてＵＥが使用するセルが選択される際の選択肢の幅を増やすことができる。
【発明を実施するための最良の形態】
【００１６】
以下に、本発明の実施の形態について図面を参照して説明する。
【００１７】
図１は、本発明の移動通信システムの実施の一形態を示す図である。
【００１８】
本形態は図１に示すように、ＲＮＣ１０１と、無線基地局１０２と、ＵＥ１０３とから構成されている。
【００１９】
ＲＮＣ１０１は、無線基地局１０２を制御する無線基地局制御装置である。無線基地局１０２は、無線を介して移動端末であるＵＥ１０３と接続しており、ＵＥ１０３との間にて無線を用いて通信を行う。なお、図１は無線基地局１０２に接続されたＵＥ１０３が１台である形態を例に挙げて示しているが、複数台のＵＥが無線基地局１０２に接続される形態も考えられる。
【００２０】
以下に、上記のように構成された形態における候補セル選択方法について説明する。
【００２１】
図２は、図１に示した移動通信システムにおける候補セル選択方法を説明するためのシーケンス図である。
【００２２】
まず、ＵＥ１０３から無線基地局１０２を介してＲＮＣ１０１へ、接続を要求するために接続要求メッセージであるRRC Connection Requestメッセージが送信される（ステップＳ１）。このRRC Connection Requestメッセージには、ＵＥ１０３がサポートする全ての周波数帯の情報である能力情報が含まれる。この能力情報をRRC Connection Requestメッセージにどのように含む（マッピングする）かについては、ＵＥ１０３がサポートする全ての周波数帯が明確に識別できるものであれば良く、ここでは特に規定しない。
【００２３】
そして、ＲＮＣ１０１にて、ＵＥ１０３から送信されたRRC Connection Requestメッセージに基づいてセルの選択が行われる（ステップＳ２）。以下に、ステップＳ２の処理について詳細に説明する。
【００２４】
図３は、図２のシーケンス図におけるステップＳ２の処理を詳細に説明するためのフローチャートである。
【００２５】
ＲＮＣ１０１にて、ＵＥ１０３から送信されたRRC Connection Requestメッセージが受信されると（ステップＳ１１）、RRC Connection Requestメッセージに含まれるＵＥ１０３の能力情報が抽出されてＲＮＣ１０１内に保存される（ステップＳ１２）。この能力情報のエンコード方法及びデコード方法は、RRC Connection Requestメッセージに含まれる他の情報のエンコード方法及びデコード方法と同様である。
【００２６】
図４は、ＲＮＣ１０１内に保存されたＵＥ１０３の能力情報の一例を示す図である。
【００２７】
図４に示すように能力情報は、各周波数帯についてＵＥ１０３がサポート可能であるかどうかが示された情報である。図４においては、サポート可能であるかどうかが各周波数帯について１ビットのビット情報で示されている。本発明が適用される移動通信システムにて予め準備された周波数帯のうち、「１」はサポート可能を示しており、また「０」はサポート不可能を示しているものである。例えば図４に示すようにＵＥ１０３は、周波数帯（Ｉ）、（Ｖ）及び（ＶＩＩＩ）の周波数帯をサポートすることができ、また、周波数帯（ＩＩ）〜（ＩＶ）、（ＶＩ）、（ＶＩＩ）、（ＩＸ）及び（Ｘ）の周波数帯をサポートすることができないことを示している。また、ビット情報で示すものではなく、サポート可能な周波数帯の値そのものを示すものであってもかまわない。
【００２８】
また、ＵＥ１０３からのメッセージ送付に使用されたセルが、ＵＥ１０３が現存するセルであることを示すセル情報として、ＲＮＣ１０１内に保存される（ステップＳ１３）。
【００２９】
また、ＲＮＣ１０１内に予め保存されている、ＲＮＣ１０１が制御する全セルの周波数帯情報と全セルのアンテナ情報とが読み出される（ステップＳ１４）。
【００３０】
図５は、ＲＮＣ１０１内に予め保存されている、ＲＮＣ１０１が制御する全セルの周波数帯情報と全セルのアンテナ情報との一例を示す図である。なおここでは、ＲＮＣ１０１が制御する全セルのアンテナが「Ａ」及び「Ｂ」の２種類である場合を例に挙げている。
【００３１】
図５に示すようにＲＮＣ１０１はセル００１〜００９までを制御することができ、そのうちセル００１〜００４がアンテナ「Ａ」によって制御されるものである。また、セル００５〜００９がアンテナ「Ｂ」によって制御されるものである。また、セル００１，００２，００５及び００６にて使用される周波数帯は、周波数帯（Ｉ）として分類されている。また、セル００３，００７及び００８にて使用される周波数帯は、周波数帯（ＩＩ）として分類されている。また、セル００４及び００９にて使用される周波数帯は、周波数帯（Ｖ）として分類されている。
【００３２】
そして、ステップＳ１４にて読み出されたＲＮＣ１０１が制御する全セルの周波数帯情報と全セルのアンテナ情報とに基づいて、ステップＳ１３にて保存されたセル情報に対応付けられたアンテナ情報を持つセルのセル情報が取得される（ステップＳ１５）。例えば、ステップＳ１３にて保存されたセル情報が「００５」である場合、ステップＳ１４にて読み出されたＲＮＣ１０１が制御する全セルの周波数帯情報と全セルのアンテナ情報とから、セル「００５」に対応付けられたアンテナはアンテナ「Ｂ」であることが取得され、アンテナ「Ｂ」を使用するセルはセル００５〜００９であることが取得される。
【００３３】
図６は、図３のフローチャートにおけるステップＳ１２及びステップＳ１３にて各情報が保存された際のＲＮＣ１０１内に保存されている情報の一構成例を示す図である。
【００３４】
図６に示すようにＲＮＣ１０１内には、ＲＮＣ１０１が制御する全ての周波数帯の情報及び全てのアンテナの情報１１１と、ＵＥ１０３が現存するセル情報１１２と、ＵＥ１０３がサポートする全ての周波数帯の能力情報１１３とが保存されている。ＲＮＣ１０１にてそれぞれの情報を管理する方法については、他の情報を管理する方法と同様である。
【００３５】
また、図６に示したＵＥ１０３が現存するセル情報１１２と、ＵＥ１０３がサポートする全ての周波数帯の能力情報１１３とが対応付けられてＲＮＣ１０１内に保存されていても良い。
【００３６】
図７は、図６に示したＵＥ１０３が現存するセル情報１１２と、ＵＥ１０３がサポートする全ての周波数帯の能力情報１１３とが対応付けられてＲＮＣ１０１内に保存されている一構成例を示す図である。
【００３７】
図７に示すようにＵＥ１０３が現存するセル情報「００５」と、ＵＥ１０３がサポートする全ての周波数帯の能力情報１１３とが対応付けられて保存されている。これらの対応付けは、ＵＥ毎に対応付けられている。
【００３８】
その後、ステップＳ１２にて保存された能力情報と、ステップＳ１５にて取得されたセル情報とに基づいてセル選択候補フィルタリングが行われる（ステップＳ１６）。
【００３９】
そして、フィルタリングされたセルがセル選択候補として選定される（ステップＳ１７）。
ここでは、ステップＳ１５にて取得されたセル情報のうち、ステップＳ１２にて保存された能力情報が周波数帯（Ｉ）、（Ｖ）及び（ＶＩＩＩ）であるセルを検索すると、セル００５，００６及び００９がセル選択候補として選定されることとなる。
【００４０】
その後、選定されたセル選択候補のうちの１つのセルの情報が含まれた無線接続確立メッセージであるRRC Connection Setupメッセージが、ＲＮＣ１０１から無線基地局１０２を介してＵＥ１０３へ送信される（ステップＳ３）。
【００４１】
ＲＮＣ１０１から送信されたRRC Connection Setupメッセージが、無線基地局１０２を介してＵＥ１０３にて受信されると、無線接続確立完了メッセージであるRRC Connection Setup CompleteメッセージがＵＥ１０３から無線基地局１０２を介してＲＮＣ１０１へ送信される。
【００４２】
このようにして、ＲＮＣ１０１とＵＥ１０３とが無線基地局１０２を介して接続され、その接続要求時にＵＥ１０３の能力情報に基づいてＵＥ１０３がサポートできる周波数帯を持つセルがセル選択候補セルとして選定される。
【００４３】
これにより、ＲＮＣ１０１は、共通チャネルのRRC Connection Request受信時、RRC Connectionを個別チャネルで接続するセル選択アルゴリズムにおいて、RRC Connection Requestメッセージに含まれるＵＥ１０３がサポート可能な全ての周波数帯を接続前に把握することができ、ＲＮＣ１０１とＵＥ１０３との間の無線接続を行なうセルとして、１つの周波数帯を選択する際、ＵＥ１０３が現存するセルと同一の周波数帯のセルに限定されることなく、ＵＥ１０３がサポート可能な異なる周波数帯のセルも選択可能な候補セルとして選定することができる。つまり、複数の候補セルが選定されているため、ＲＮＣ１０１にてＵＥ１０３が使用するセルが選択される際の選択肢の幅が増える。
【図面の簡単な説明】
【００４４】
【図１】本発明の移動通信システムの実施の一形態を示す図である。
【図２】図１に示した移動通信システムにおける候補セル選択方法を説明するためのシーケンス図である。
【図３】図２のシーケンス図におけるステップＳ２の処理を詳細に説明するためのフローチャートである。
【図４】ＲＮＣ内に保存されたＵＥの能力情報の一例を示す図である。
【図５】ＲＮＣ内に予め保存されている、ＲＮＣが制御する全セルの周波数帯情報と全セルのアンテナ情報との一例を示す図である。
【図６】各情報が保存された際のＲＮＣ内に保存されている情報の一構成例を示す図である。
【図７】図６に示したＵＥが現存するセル情報と、ＵＥがサポートする全ての周波数帯の能力情報とが対応付けられてＲＮＣ内に保存されている一構成例を示す図である。
【符号の説明】
【００４５】
１０１    ＲＮＣ
１０２    無線基地局
１０３    ＵＥ
１１１    ＲＮＣが制御する全ての周波数帯の情報及び全てのアンテナの情報
１１２    ＵＥが現存するセル情報
１１３    ＵＥがサポートする全ての周波数帯の能力情報
【図１】
2008092332.tif 000003
【図２】
2008092332.tif 000004
【図３】
2008092332.tif 000005
【図４】
2008092332.tif 000006
【図５】
2008092332.tif 000007
【図６】
2008092332.tif 000008
【図７】
2008092332.tif 000009